(57)【特許請求の範囲】
【請求項１】
低圧巻線に複数台の発電機を接続し、１台のタップ切換器を有する負荷時タップ切換器付スプリット変圧器のタップ制御方法において、前記複数台の発電機の内、先行始動した発電機の運転中に後続始動される発電機の始動前に、当該後続始動させる発電機の並列から定常運転に移行する際の、前記複数台の発電機の端子電圧を予測し、後続始動させる発電機の並列から定常運転に移行するまでの間の前記複数台の発電機の端子電圧が規定電圧範囲内に納まっているか否かを判断し、発電機の端子電圧が規定電圧範囲内に納まっていない場合には、前記複数台の発電機の端子電圧が全て規定電圧範囲内に納まるようタップ位置を切換えるようにしたことを特徴とする負荷時タップ切換器付スプリット変圧器のタップ制御方法。
【請求項２】
前記後続始動発電機が並列から定格運転に移行する際の先行始動発電機および後続始動発電機の端子電圧を予測する場合、ＬＴＣ付スプリット変圧器のタップ位置と、各タップ値の変圧比と、低圧巻線および高圧巻線の各インピーダンス、先行始動発電機の端子電圧および出力電流、後続始動発電機の定常運転時の出力電流を既知の値とし、これら既知の値を用いて演算して予測することを特徴とする請求項１記載の負荷時タップ切替器付スプリット変圧器のタップ制御方法。
【請求項３】
後続始動させる発電機の運転指令後にタップ位置を切換えるようにしたことを特徴とする請求項１または２記載の負荷時タップ切換器付スプリット変圧器のタップ制御方法。
【請求項４】
運転中の複数台の発電機の端子電圧を検出し、１台の発電機の端子電圧が規定電圧範囲内に納まらなくなりタップの変更指令を出した場合、タップ位置が実際に変わるまで、他の発電機の端子電圧が規定電圧範囲内に納まらなくなった場合にもタップ変更指令をロックするようにしたことを特徴とする請求項１または２記載の負荷時タップ切換器付スプリット変圧器のタップ制御方法。
【請求項５】
低圧巻線に複数台の発電機を接続し、１台のタップ切換器を有する負荷時タップ切換器付スプリット変圧器のタップ制御方法において、前記複数台の運転中の発電機の内、１台の発電機を停止させる前に、運転を継続する発電機の端子電圧を予測し、運転を継続する発電機の端子電圧が規定電圧範囲内に納まっているか否かを判断し、運転を継続する発電機の端子電圧が規定電圧範囲内に納まっていない場合には、運転を継続する発電機の端子電圧が規定電圧範囲内に納まるようタップ位置を切換えるようにしたことを特徴とする負荷時タップ切換器付スプリット変圧器のタップ制御方法。
【請求項６】
停止させる発電機の停止指令後にタップ位置を切換えるようにしたことを特徴とする請求項５記載の負荷時タップ切換器付スプリット変圧器のタップ制御方法。
【請求項７】
発電機が発電電動機であることを特徴とする請求項１ないし６のいずれかに記載の負荷時タップ切換器付スプリット変圧器のタップ制御方法。
【請求項８】
低圧巻線に複数台の発電機を接続し、１台のタップ切換器を有する負荷時タップ切換器付スプリット変圧器のタップ制御装置において、前記複数台の発電機の内、先に始動した発電機の運転中に後続始動される発電機の始動前に、当該後続始動させる発電機の並列から定常運転に移行する際の、前記複数台の発電機の端子電圧を予測する手段と、後続始動させる発電機の並列から定常運転に移行するまでの間の前記複数台の発電機の端子電圧が規定電圧範囲内に納まっているか否かを判断する手段と、発電機の端子電圧が規定電圧範囲内に納まっていない場合には、前記複数台の発電機の端子電圧が全て規定電圧範囲内に納まるようタップ位置を切換えるタップ切換器とからなることを特徴とする負荷時タップ切換器付スプリット変圧器のタップ制御装置。
【請求項９】
低圧巻線に複数台の発電機を接続し、１台のタップ切換器を有する負荷時タップ切換器付スプリット変圧器のタップ制御装置において、前記複数台の運転中の発電機の内、１台の発電機を停止させる前に、運転を継続する発電機の端子電圧を予測する手段と、運転を継続する発電機の端子電圧が規定電圧範囲内に納まっているか否かを判断する手段と、運転を継続する発電機の端子電圧が規定電圧範囲内に納まっていない場合には、運転を継続する発電機の端子電圧が規定電圧範囲内に納まるようタップ位置を切換えるタップ切換器とからなることを特徴とする負荷時タップ切換器付スプリット変圧器のタップ制御装置。
【発明の詳細な説明】
【技術分野】
【０００１】
本発明は、低圧巻線に複数台の発電機を接続し、１台のタップ切換器を有する負荷時タップ切換器付スプリット変圧器のタップ制御方法およびタップ制御装置に関する。
【背景技術】
【０００２】
発電プラントに設けられる発電機では、電源電圧の変動を補償して負荷端の電力需要家における電圧変動を抑え、出力電圧をほぼ一定に保持した良質の電力を供給するため出力電圧の調整が必要である。
このため、発電機には出力電圧の電圧調整手段として負荷時タップ切換器付変圧器（以下ＬＴＣ付変圧器と称する）が設けられている。
【０００３】
図８は従来の一般的な発電所の構成を示す図である。図８において、１Ａ（１Ｇ）、１Ｂ（２Ｇ）は送電系統Ｌに対して並列に接続された複数台（図では２台）の発電機、２Ａ、２Ｂはこの２台の発電機１Ａ、１Ｂに対して各々接続された２台のＬＴＣ付変圧器、３Ａ、３Ｂは各発電機１Ａ、１ＢとＬＴＣ付変圧器２Ａ、２Ｂとの間に接続された遮断器、４Ａ、４Ｂは各ＬＴＣ付変圧器２Ａ、２Ｂのタップ制御装置、５Ａ、５Ｂは各発電機回路の端子電圧を検出する計器用変圧器である。
【０００４】
図９は図８に示す発電機回路をＬＴＣ付変圧器２Ａ、２Ｂの巻数比を省略して模式的に示した図であり、６Ａ、６ＢはＬＴＣ付変圧器２Ａ、２Ｂの低圧巻線、Ｌ１、Ｌ２は前記低圧巻線６Ａ、６Ｂのインピーダンス、７Ａ、７ＢはＬＴＣ付変圧器２Ａ、２Ｂの高圧巻線、Ｈ１、Ｈ２は前記高圧巻線７Ａ、７Ｂのインピーダンスである。
【０００５】
このように従来の一般的な発電所の構成は、複数台の発電機が設けられている場合でも、各々の発電機１台に対しＬＴＣ付変圧器1台を設けるようにしている（例えば、特許文献１参照。）。
【０００６】
このように構成された発電所における従来のタップ制御方法は以下の通りである。
まず、発電機１Ａ、１Ｂの始動時は、タップ制御装置４Ａまたは４ＢはＬＴＣ付変圧器２Ａまたは２Ｂのタップ位置を決められた基準タップに移行し、そのタップ位置に固定して発電機１Ａまたは１Ｂの運転を開始する。
【０００７】
次に、発電機１Ａまたは１Ｂの運転中は、タップ制御装置４Ａまたは４Ｂは、タップ位置信号Ｔと共に発電機１Ａまたは１Ｂの端子電圧ＶＧ１またはＶＧ２を計器用変圧器５Ａまたは５Ｂで検出し、規定電圧範囲内に納まるように、端子電圧ＶＧ１またはＶＧ２が定められたしきい値の上限に達した場合には端子電圧ＶＧ１またはＶＧ２を下げるようにＬＴＣ付変圧器２Ａまたは２Ｂにタップの上げ指令を出し、逆に端子電圧ＶＧ１またはＶＧ２が定められたしきい値の下限に達した場合には端子電圧ＶＧ１またはＶＧを上げるようにＬＴＣ付変圧器２Ａまたは２Ｂにタップの下げ指令を出すようにタップ切換え制御を行っている。
【０００８】
このように、従来は各発電機１Ａまたは１Ｂ毎にＬＴＣ付変圧器２Ａ、２Ｂを設けタップ制御を行っている。
【特許文献１】特開平７−１９４００９号公報（Ｐ２、右欄、段落番号［０００４］）
【発明の開示】
【発明が解決しようとする課題】
【０００９】
一方、複数台の発電機の電圧調整手段として、ＬＴＣ付変圧器の二次巻線を所要数に分割した負荷時タップ切換器付スプリット変圧器（以下ＬＴＣ付スプリット変圧器と称する）を用いることが考えられる。
これは、ＬＴＣ付スプリット変圧器の各二次巻線に発電機を接続し、１台のタップ制御装置でＬＴＣ付スプリット変圧器のタップ制御を行おうとするものである。
【００１０】
しかしながら従来のタップ制御装置は、入力として発電機回路の1箇所の電圧しか取り込むことができず、１台のＬＴＣ付スプリット変圧器に複数台の発電機が接続されると１台目の発電機の始動時には従来のＬＴＣ付変圧器と同じ制御方法で問題がないが、２台目以降は先行した発電機の運転でタップを一義的に任意のタップ位置に動かすことができず、電圧制御が行えないという課題があった。
【００１１】
すなわち、１台のＬＴＣ付スプリット変圧器に複数台の発電機が接続される場合に従来のタップ制御方法を適用する場合、
（１）１台目の発電機は基準タップで運転を開始し、２台目の発電機の並列運転時には先行機の運転電圧で強引に並列にする。
（２）１台目の発電機も２台目の発電機も基準タップで並列する。
（３）１台目の発電機は基準タップで並列し、２台目の発電機は先行機が最大出力を出している等の運転状態を仮定して、後行機並列時の端子電圧を推測し、タップを制御して並列にする。
の三つの制御方法が考えられる。
【００１２】
しかし、上記（１）の方法は発電機の端子電圧が規定電圧範囲を外れるおそれがあること、（２）、（３）の方法は必要以上にタップを動かすことになり、タップ切換器の寿命が短くなるという問題点があった。
【００１３】
本発明は上記従来技術の課題を解決するためになされたものであり、１台のＬＴＣ付スプリット変圧器に複数台の発電機が接続される発電機回路において、必要以上にタップを動かすことなく、一台のＬＴＣ付スプリット変圧器で各発電機の端子電圧を規定電圧範囲内に納めるように制御することのできる負荷時タップ切換器付スプリット変圧器のタップ制御方法およびタップ制御装置を提供することを目的とする。
【課題を解決するための手段】
【００１４】
上記目的を達成するため、本発明の請求項１記載の発明は、低圧巻線に複数台の発電機を接続し、１台のタップ切換器を有する負荷時タップ切換器付スプリット変圧器のタップ制御方法において、前記複数台の発電機の内、先行始動した発電機の運転中に後続始動される発電機の始動前に、当該後続始動させる発電機の並列から定常運転に移行する際の、前記複数台の発電機の端子電圧を予測し、始動させる発電機の並列から定常運転に移行するまでの間の前記複数台の発電機の端子電圧が規定電圧範囲内に納まっているか否かを判断し、発電機の端子電圧が規定電圧範囲内に納まっていない場合には、前記複数台の発電機の端子電圧が全て規定電圧範囲内に納まるようタップ位置を切換えるようにしたことを特徴とする。
【００１５】
また、請求項５記載の発明は、低圧巻線に複数台の発電機を接続し、１台のタップ切換器を有する負荷時タップ切換器付スプリット変圧器のタップ制御方法において、複数台の運転中の発電機の内、１台の発電機を停止させる前に、運転を継続する発電機の端子電圧を予測し、運転を継続する発電機の端子電圧が規定電圧範囲内に納まっているか否かを判断し、運転を継続する発電機の端子電圧が規定電圧範囲内に納まっていない場合には、運転を継続する発電機の端子電圧が規定電圧範囲内に納まるようタップ位置を切換えるようにしたことを特徴とする。
【００１６】
また、請求項８記載の発明は、低圧巻線に複数台の発電機を接続し、１台のタップ切換器を有する負荷時タップ切換器付スプリット変圧器のタップ制御装置において、前記複数台の発電機の内、先に始動した発電機の運転中に後続始動される発電機の始動前に、当該後続始動させる発電機の並列から定常運転に移行する際の、前記複数台の発電機の端子電圧を予測する手段と、後続始動させる発電機の並列から定常運転に移行するまでの間の前記複数台の発電機の端子電圧が規定電圧範囲内に納まっているか否かを判断する手段と、発電機の端子電圧が規定電圧範囲内に納まっていない場合には、前記複数台の発電機の端子電圧が全て規定電圧範囲内に納まるようタップ位置を切換えるタップ切換器とからなることを特徴とする。
【００１７】
また、請求項９記載の発明は、低圧巻線に複数台の発電機を接続し、１台のタップ切換器を有する負荷時タップ切換器付スプリット変圧器のタップ制御装置において、前記複数台の運転中の発電機の内、１台の発電機を停止させる前に、運転を継続する発電機の端子電圧を予測する手段と、運転を継続する発電機の端子電圧が規定電圧範囲内に納まっているか否かを判断する手段と、運転を継続する発電機の端子電圧が規定電圧範囲内に納まっていない場合には、運転を継続する発電機の端子電圧が規定電圧範囲内に納まるようタップ位置を切換えるタップ切換器とからなることを特徴とする。
【発明の効果】
【００１８】
本発明によれば、ＬＴＣ付スプリット変圧器の適切なタップ制御が可能なので、必要以上にタップを動かすことなく、一台のＬＴＣ付スプリット変圧器で、接続された複数台の発電機の端子電圧を全て規定電圧範囲内に納めるように制御することができる。
【発明を実施するための最良の形態】
【００１９】
以下本発明の実施の形態について図面を参照して説明する。なお、以下の実施の形態の説明において、図８および図９に示す従来のＬＴＣ付変圧器のタップ制御装置と同一部分には同一の符号を付し、詳細な説明は省略する。
【００２０】
図１は本発明の第１の実施の形態を示す図で、図１において、１Ａ、１Ｂは発電機、８は１台のＬＴＣ付スプリット変圧器で、このＬＴＣ付スプリット変圧器８の二次側スプリット巻線８ａ、８ｂは前記発電機１Ａ、１Ｂにそれぞれ遮断器３Ａ、３Ｂを介して接続されている。
【００２１】
９は前記ＬＴＣ付スプリット変圧器８のタップ制御装置、５Ａ、５Ｂは発電機出力端子電圧を検出する計器用変圧器、１０Ａ、１０Ｂは発電機出力回路の出力電流を検出する計器用変流器である。
【００２２】
図２は図１に示す発電機出力端子からＬＴＣ付スプリット変圧器８の高圧巻線出力端子間を、当該変圧器８の巻数比を省略して模式的に示した図であり、１１Ａ、１１ＢはＬＴＣ付スプリット変圧器８の低圧巻線、Ｌ１、Ｌ２は前記低圧巻線１１Ａ、１１Ｂのインピーダンス、１２はＬＴＣ付スプリット変圧器８の高圧巻線、Ｈは前記高圧巻線１２インピーダンスである。
【００２３】
次に、このように構成された本実施の形態によるＬＴＣ付スプリット変圧器８タップ制御方法について説明する。
【００２４】
タップ制御装置９は、ＬＴＣ付スプリット変圧器８のタップ位置と、各タップ値の変圧比と、低圧巻線１１Ａ、１１ＢのインピーダンスＬ１、Ｌ２と、高圧巻線１２のインピーダンスＨとを予め記憶しておき、発電機１Ａ、１Ｂの運転・停止指令Ｓ１、Ｓ２と、発電機１Ａの端子電圧ＶＧ１と出力電流ｉＧ１の値と、発電機１Ｂの端子電圧ＶＧ２と出力電流ｉＧ２の値と、現在のタップ位置を示すタップ位置信号Ｔを取り込むようになっている。
【００２５】
まず発電機１Ａを先行して始動するものとする。発電機１Ａの始動時は、タップ制御装置９はＬＴＣ付スプリット変圧器８のタップ位置を決められた基準タップに移行し、そのタップ位置に固定して発電機１Ａの運転を開始する。
【００２６】
次に、発電機１Ａの運転中に発電機１Ｂを始動する場合について図３を用いて説明する。
発電機１Ａが端子電圧ＶＧ１０で運転中に発電機１Ｂを始動し、出力電流が並列時ｉＧ２０(≒０)から定格運転時ｉＧ２１に変化するものとし、発電機の並列から定格運転へ移行する短時間において系統電圧ＶＨをほぼ一定とすると、ＬＴＣ付スプリット変圧器８の高圧巻線１２を通過する電流ｉＨが「ｉＧ１＋ｉＧ２０≒ｉＧ２１」から「ｉＧ１＋ｉＧ２１」に変化するため、発電機１Ａの端子電圧ＶＧ１はＶＧ１０からＶＧ１１（＝ＶＧ１０＋Ｈ・ｉＧ２１）に変化する。
【００２７】
また、発電機１Ｂの端子電圧ＶＧ２は、ＶＧ２０（≒ＶＨ＋Ｈ・ｉＧ１）からＶＧ２１（＝ＶＧ２０＋（Ｌ２＋Ｈ）・ｉＧ２１）に変化する。
ここで、系統電圧ＶＨ、先行機１Ａの端子電圧ＶＧ１０および出力電流ｉＧ１、後続機１Ｂの定常運転時の出力電流ｉＧ２１は既知であり、また、ＬＴＣ付スプリット変圧器のタップ位置、各タップ値の変圧比、高圧巻線インピーダンスＨ、低圧巻線インピーダンスＬ２も既知なので、これら既知の値を用いて演算することによりＶＧ２０、ＶＧ２１およびＶＧ１１を予測することができる。
【００２８】
このように、本実施の形態によれば、低圧巻線１１Ａ、１１Ｂに複数台の発電機１Ａ、１Ｂを接続し、１台のタップ切換器を有する負荷時タップ切換器付スプリット変圧器のタップ制御方法またはタップ制御装置において、前記複数台の発電機１Ａ、１Ｂの内、先に始動した発電機１Ａの運転中に後続始動される発電機１Ｂの始動前に、当該後続始動される発電機１Ｂの並列から定常運転に移行する際の、前記複数台の発電機１Ａおよび１Ｂの端子電圧ＶＧ１１、ＶＧ２０、ＶＧ２１を予測し、後続始動発電機１Ｂの並列から定常運転に移行するまでの間の前記複数台の発電機１Ａ、１Ｂの端子電圧ＶＧ１１、ＶＧ２０、ＶＧ２１が規定電圧範囲内に納まっているか否かを判断し、納まっていない場合は、前記複数台の発電機１Ａ、１Ｂの端子電圧が全て規定電圧範囲内に納まるようタップ位置を切換えるようにタップを切換制御する。
【００２９】
これによって、１台のＬＴＣ付スプリット変圧器８で、接続された複数台の発電機１Ａ、１Ｂの端子電圧を全て規定電圧範囲内に納めるように制御することができる。
【００３０】
次に、本発明の第２の実施の形態について図４を参照して説明する。  
本実施の形態と前述した第１実施の形態との本質的な違いはなく、本実施の形態では、計器用変圧器５Ａ，５Ｂの設置位置をＬＴＣ付スプリット変圧器８の低圧巻線８ａ，８ｂと遮断器３Ａ，３Ｂ間に移すことによって、後続機１Ｂの端子電圧ＶＧ２０を実測できるようにしたことを特徴とするものである。
【００３１】
本実施の形態によれば、第１の実施の形態同様、既知のデータを用いて演算することにより、ＶＧ２１およびＶＧ１１を予測し、後続始動発電機１Ｂの並列から定常運転に移行するまでの間に前記複数台の発電機１Ａ，１Ｂの端子電圧ＶＧ２１およびＶＧ１１が規定電圧範囲内に納まっているか否かを判断し、納まっていない場合は、前記複数台の発電機１Ａ，１Ｂの端子電圧が全て規定電圧範囲内に納まるようタップ位置を切換えることにより発電機１Ａ，１Ｂの端子電圧を全て規定電圧範囲内に納めることができる。
【００３２】
次に、本発明の第３の実施の形態について図５を参照して説明する。
本実施の形態のタップ制御装置９は前記第１の実施の形態の機能に加え、発電機１Ａ、１Ｂの出力指令Ｐ１、Ｐ２および無効電力指令Ｑ１、Ｑ２を取り込むようになっている。
ここで、前記第１の実施の形態と同様に発電機１Ａの運転中に発電機１Ｂを始動する場合について説明する。
【００３３】
タップ制御装置９は前記第１の実施の形態の機能に加え、発電機１Ｂの運転指令Ｓ２と出力指令Ｐ２、無効電力指令Ｑ２を受けたあとに定常運転時のｉＧ２１（＝（Ｐ２＋Ｑ２）／ＶＧ２１）を演算し、予測する。
これによって、１台のＬＴＣ付スプリット変圧器８で、接続された複数台の発電機１Ａ、１Ｂの端子電圧を全て規定電圧範囲内に納めるように制御することができる。
【００３４】
次に、本発明の第４の実施の形態について図６を参照して説明する。
図６は、図１または図５に示す本発明の第１または第３の実施の形態において、発電機１Ａ、１Ｂが共に運転中の場合の端子電圧ＶＧ１、ＶＧ２の動きと、タップ制御装置９からＬＴＣ付スプリット変圧器８へのタップ制御指令と、ＬＴＣ付スプリット変圧器８のタップ変化を示したものである。
【００３５】
時刻ｔ１において、発電機１Ａの端子電圧ＶＧ１がしきい値の上限ＶＧＬＨに達すると、タップ制御装置９は発電機１Ａの端子電圧ＶＧ１を下げるためＬＴＣ付スプリット変圧器８のタップを上げる指令を出す。しかし、ＬＴＣ付スプリット変圧器８のタップが切換わるには暫く時間がかかる。その間のｔ２において、発電機１Ｂの端子電圧ＶＧ２もしきい値の上限ＶＧＬＨに達した場合、タップ制御装置９はＬＴＣ付スプリット変圧器８のタップを上げる指令をロックする。これによりＬＴＣ付スプリット変圧器８のタップが２段階上がることを阻止できる。
これによって、１台のＬＴＣ付スプリット変圧器８で、接続された複数台の発電機１Ａ、１Ｂの端子電圧を全て規定電圧範囲内に納めるように制御することができる。
【００３６】
次に、本発明の第５の実施の形態について図７を参照して説明する。
発電機１Ａが端子電圧ＶＧ１０で、発電機１Ｂが端子電圧ＶＧ２０でそれぞれ運転中に発電機１Ｂを停止操作し、出力電流が運転時ｉＧ２０から解列時ｉＧ２１（＝０）に変化するものとし、発電機を解列する短時間において系統電圧ＶＨをほぼ一定とする。すると、ＬＴＣ付スプリット変圧器８の高圧巻線１２を通過する電流ｉＨが「ｉＧ１＋ｉＧ２０」から「ｉＧ１＋ｉＧ２１＝ｉＧ１」に変化するため、発電機１Ａの端子電圧ＶＧ１はＶＧ１０からＶＧ１１（＝ＶＧ１０−Ｈ・ｉＧ２０）に変化する。
【００３７】
本実施の形態によれば、発電機１Ｂの解列前に発電機１Ａの端子電圧ＶＧ１１を予測し、検出している端子電圧ＶＧ１０、ＶＧ２０を含めて全てが規定電圧範囲内（ＶＧＬＨ〜ＶＧＬＬ）に納まっていることを確認し、納まっていない場合は、全てが規定電圧範囲内に納まるようＬＴＣ付スプリット変圧器８のタップ位置を変更するようにタップを切換制御する。
【００３８】
これによって、１台のＬＴＣ付スプリット変圧器８で、接続された複数台の発電機１Ａ、１Ｂの端子電圧を全て規定電圧範囲内に納めるように制御することができる。
なお、上記第１〜第４の実施の形態において、発電機１Ａ、１Ｂを発電電動機に置換え、発電電動機の揚水運転においても本発明の作用効果が得られる。
【図面の簡単な説明】
【００３９】
【図１】本発明の第１の実施の形態を示す回路図。
【図２】本発明の第１の実施の形態を示す変圧器の模式回路図。
【図３】本発明の第１の実施の形態における発電機端子電圧の変動を示す特性図。
【図４】本発明の第２の実施の形態を示す回路図。
【図５】本発明の第３の実施の形態を示す回路図。
【図６】本発明の第３の実施の形態を説明するための特性図。
【図７】本発明の第４の実施の形態を説明するための特性図。
【図８】従来のＬＴＣ付変圧器を備えた発電機回路を示す回路図。
【図９】従来のＬＴＣ付変圧器を備えた発電機回路の模式回路図。
【符号の説明】
【００４０】
１Ａ，１Ｂ…発電機、２Ａ，２Ｂ…ＬＴＣ付変圧器、３Ａ，３Ｂ…遮断器、４Ａ，４Ｂ…タップ制御装置、５Ａ，５Ｂ…計器用変圧器、６Ａ，６Ｂ…低圧巻線、７Ａ，７Ｂ…高圧巻線、Ｌ１，Ｌ２…低圧巻線のインピーダンス、Ｈ，Ｈ１，Ｈ２…高圧巻線のインピーダンス、Ｌ…送電系統、８…ＬＴＣ付スプリット変圧器、８ａ，８ｂ…二次側スプリット巻線、９…タップ制御装置、１０Ａ，１０Ｂ…計器用変流器、１１Ａ，１１Ｂ…低圧巻線、１２…高圧巻線、ＶＧ１…発電機１Ａの端子電圧、ＶＧ２…発電機１Ｂの端子電圧、ｉＧ１…発電機１Ａの出力電流、ｉＧ２…発電機１Ｂの出力電流。
【図１】
0004410180.tif 000002
【図２】
0004410180.tif 000003
【図３】
0004410180.tif 000004
【図４】
0004410180.tif 000005
【図５】
0004410180.tif 000006
【図６】
0004410180.tif 000007
【図７】
0004410180.tif 000008
【図８】
0004410180.tif 000009
【図９】
0004410180.tif 000010